(57)【要約】【課題】ディスクドライブ装置の設計自由度の向上及び位置決め精度の向上等を図る。【解決手段】ディスクドライブ装置５０に対する位置決め部としてシェル２に第１の位置決め部１６、第２の位置決め部１７、第３の位置決め部１８及び第４の位置決め部１９の４つの位置決め穴又は位置決め溝を形成し、ディスク状記録媒体５の厚み方向に直交する２方向をそれぞれＸ方向及びＹ方向としたときに、第１の位置決め部と第２の位置決め部をＸ方向における同一位置に形成し、第３の位置決め部と第４の位置決め部をＸ方向における同一位置に形成し、第１の位置決め部と第３の位置決め部をＹ方向における同一位置に形成し、第２の位置決め部と第４の位置決め部をＹ方向における同一位置に形成し、挿入口５１ａから挿入されたときのディスクドライブ装置に対する位置決めにおいて、４つの位置決め部の少なくとも２つを使用した。【選択図】        図１０
2004318930.tif 000002
【特許請求の範囲】
【請求項１】
シェル内にディスク状記録媒体が回転可能に収納されシェルに少なくともディスクドライブ装置に設けられたディスクテーブルが挿入される開口部が形成されると共にディスクドライブ装置の挿入口から挿入されて使用されるディスクカートリッジであって、
ディスクドライブ装置に対する位置決め部としてシェルに４つの位置決め穴又は位置決め溝を形成し、
４つの位置決め穴又は位置決め溝をそれぞれ第１の位置決め部、第２の位置決め部、第３の位置決め部及び第４の位置決め部とし、
ディスク状記録媒体の厚み方向に直交する２方向をそれぞれＸ方向及びＹ方向とすると共に上記挿入口に対する挿入方向及びその反対方向をＹ方向としたときに、
上記第１の位置決め部と第２の位置決め部をＸ方向における同一位置に形成し、
上記第３の位置決め部と第４の位置決め部を第１の位置決め部と第２の位置決め部とは異なるＸ方向における同一位置に形成し、
上記第１の位置決め部と第３の位置決め部をＹ方向における同一位置に形成し、
上記第２の位置決め部と第４の位置決め部を第１の位置決め部と第３の位置決め部とは異なるＹ方向における同一位置に形成し、
挿入口から挿入されたときのディスクドライブ装置に対する位置決めにおいて、上記４つの位置決め部の少なくとも２つを使用した
ことを特徴とするディスクカートリッジ。
【請求項２】
第１の位置決め部及び第３の位置決め部を第２の位置決め部及び第４の位置決め部に対して挿入方向側に位置させ、
第１の位置決め部及び第３の位置決め部を少なくとも挿入方向側に開口し、
第１の位置決め部又は第３の位置決め部を挿入口から挿入されたときのディスクドライブ装置に対する位置決めにおいて使用した
ことを特徴とする請求項１に記載のディスクカートリッジ。
【請求項３】
上記４つの位置決め部をシェルの上記開口部の開口方向と同じ方向に開口し、
開口部の開口方向に移動されたときにディスクドライブ装置に対する位置決めを行うようにした
ことを特徴とする請求項１に記載のディスクカートリッジ。
【発明の詳細な説明】
【０００１】
【発明の属する技術分野】
本発明はディスクカートリッジに関する。詳しくは、シェルに４つの位置決め部を形成し、ディスクドライブ装置の設計自由度の向上及び位置決め精度の向上を図る技術分野に関する。
【０００２】
【従来の技術】
シェル内にディスク状記録媒体が回転可能に収納されると共にシェルにディスク状記録媒体を外部に露出させる開口部が形成されたディスクカートリッジがある（例えば、特許文献１参照）。
【０００３】
このようなディスクカートリッジにあっては、ディスクドライブ装置の挿入口から挿入されると開口部が開放され、開口部から挿入されたディスクテーブルにディスク状記録媒体が装着されてディスクテーブルの回転に伴ってディスク状記録媒体が回転される。ディスク状記録媒体が回転されると、光ピックアップの駆動によりディスク状記録媒体に対する情報信号の記録又は再生が行われる。
【０００４】
ディスクカートリッジが挿入口から挿入されたときには、シェルを所定の位置に位置決めして保持する必要があり、従来のディスクカートリッジにあっては、シェルに位置決めを行うための２つの位置決め穴が形成されている。位置決め穴は、例えば、挿入口に対する挿入方向、即ち、ディスク状記録媒体の厚み方向に直交する方向における手前側の端部に左右に離隔して形成され、一方が円形状に形成され、他方が左右に長く形成されている。
【０００５】
このようなディスクカートリッジにあっては、ディスクカートリッジが挿入口から挿入されて水平移動されると、挿入されたディスクカートリッジがディスクドライブ装置の内部に設けられたディスクホルダー内に引き込まれて左右方向における位置規制が行われ、ディスクホルダーが下降されて垂直移動されたときにディスクドライブ装置の内部に設けられた２つの位置決めピンが各位置決め穴にそれぞれ挿入されてディスクカートリッジが所定の位置に位置決めされる。
【０００６】
【特許文献１】
特開２００１―３３２０５８号公報
【０００７】
【発明が解決しようとする課題】
上記したように、従来のディスクカートリッジにあっては、所定の２つの位置決め穴によりディスクドライブ装置に対する位置決めが行われており、ディスクドライブ装置に設けられる位置決めピンの配置は１通りしか存在せず、ディスクドライブ装置の設計が制約され設計自由度が低いという問題がある。
【０００８】
また、２つの位置決め穴の挿入方向における位置にズレがある場合には、そのズレに起因した寸法公差が発生する可能性があり、寸法公差によるディスクカートリッジの位置ずれが生じるおそれがある。
【０００９】
そこで、本発明ディスクカートリッジは、上記した問題点を克服し、ディスクドライブ装置の設計自由度の向上及び位置決め精度の向上を図ることを課題とする。
【００１０】
【課題を解決するための手段】
本発明ディスクカートリッジは、上記した課題を解決するために、ディスクドライブ装置に対する位置決め部としてシェルに４つの位置決め穴又は位置決め溝を形成し、４つの位置決め穴又は位置決め溝をそれぞれ第１の位置決め部、第２の位置決め部、第３の位置決め部及び第４の位置決め部とし、ディスク状記録媒体の厚み方向に直交する２方向をそれぞれＸ方向及びＹ方向とすると共に上記挿入口に対する挿入方向及びその反対方向をＹ方向としたときに、上記第１の位置決め部と第２の位置決め部をＸ方向における同一位置に形成し、上記第３の位置決め部と第４の位置決め部を第１の位置決め部と第２の位置決め部とは異なるＸ方向における同一位置に形成し、上記第１の位置決め部と第３の位置決め部をＹ方向における同一位置に形成し、上記第２の位置決め部と第４の位置決め部を第１の位置決め部と第３の位置決め部とは異なるＹ方向における同一位置に形成し、挿入口から挿入されたときのディスクドライブ装置に対する位置決めにおいて、上記４つの位置決め部の少なくとも２つを使用したものである。
【００１１】
従って、本発明ディスクカートリッジにあっては、少なくとも２つの任意の位置決め部によりディスクドライブ装置に対する位置決めが行われる。
【００１２】
【発明の実施の形態】
以下に、本発明ディスクカートリッジの実施の形態を添付図面を参照して説明する。
【００１３】
先ず、ディスクカートリッジが挿入されて使用されるディスクドライブ装置について説明する（図１乃至図７参照）。
【００１４】
ディスクドライブ装置５０は外筐５１内に所定の各部が配置されて成る（図１参照）。外筐５１の前面には横長の挿入口５１ａが形成されている。挿入口５１ａはディスクカートリッジ１が挿入される挿入部として機能する他、ディスクカートリッジ１が排出される排出部としても機能する。
【００１５】
外筐５１内には固定フレーム５２が配置され、図２に示すように、固定フレーム５２は天板部５３と該天板部５３の左右両側縁から垂設された側板部５４、５４とを有している。側板部５４、５４には前後に離隔してそれぞれ２つずつのガイド孔５５、５５、・・・が形成されている（図３参照）。ガイド孔５５は前後に延びる水平部５５ａと該水平部５５ａの一端部から下方へ延びる垂直部５５ｂとから成る。
【００１６】
側板部５４、５４の下端部にはそれぞれ駆動ギヤ５６、５６が支持され、該駆動ギヤ５６、５６は図示しない駆動モーターの駆動力によって同期して回転される。
【００１７】
側板部５４、５４にはそれぞれカムスライダー５７、５７が前後方向（図３に示すＬ１―Ｌ２方向）へスライド自在に支持されている。カムスライダー５７、５７の下端部にはそれぞれラック部５７ａ、５７ａが設けられ、該ラック部５７ａ、５７ａにそれぞれ駆動ギヤ５６、５６が噛合されている。従って、駆動ギヤ５６、５６が駆動モーターの駆動力によって回転されると、その回転方向に応じてカムスライダー５７、５７が図３に示すＬ１―Ｌ２方向へ同期してスライドされる。
【００１８】
カムスライダー５７には前後に離隔してカム孔５８、５８が形成されている。カム孔５８は上側保持部５８ａと該上側保持部５８ａに連続するカム傾斜部５８ｂと該カム傾斜部５８ｂに連続する下側保持部５８ｃとから成る。カム傾斜部５８ｂはＬ１方向へ行くに従って下方へ変位され、下側保持部５８ｃは前後に長く形成されている。
【００１９】
固定フレーム５２の内部にはディスクホルダー５９が配置されている（図２及び図３参照）。ディスクホルダー５９は、図４に示すように、上面部５９ａと該上面部５９ａの左右両側縁からそれぞれ垂設された側面部５９ｂ、５９ｂと該側面部５９ｂ、５９ｂの下縁から互いに近付く方向へ突出された受け面部５９ｃ、５９ｃとを有している。
【００２０】
側面部５９ｂ、５９ｂにはそれぞれ前後に離隔して２つずつの被ガイドピン５９ｄ、５９ｄ、・・・が設けられ、該被ガイドピン５９ｄ、５９ｄ、・・・はそれぞれ側面部５９ｂ、５９ｂから外方（側方）へ突出されている。被ガイドピン５９ｄ、５９ｄ、・・・は、図３に示すように、それぞれ固定フレーム５２のガイド孔５５、５５、・・・及びカムスライダー５７のカム孔５８、５８、・・・を挿通され、ガイド孔５５、５５、・・・及びカム孔５８、５８、・・・に摺動自在に係合されている。
【００２１】
右側の受け面部５９ｃの後端部には検出センサー６０が配置されている（図４参照）。検出センサー６０は基体６０ａと該基体６０ａに対して回動可能な検出アーム６０ｂとを有し、検出アーム６０ｂが基体６０ａに近づく方向へ押圧されて回動されると、ディスクカートリッジ１のディスクホルダー５９に対する挿入完了状態が検出される。
【００２２】
尚、ディスクカートリッジ１のディスクホルダー５９に対する挿入完了状態の検出を行う手段としては検出センサー６０に限られることがなく、検出センサー６０に代えて、光学式のセンサーや磁気式のセンサー等の他の検出センサーを用いることもできる。
【００２３】
ディスクホルダー５９の内部にはディスクカートリッジ１を下方へ付勢するための図示しない押さえバネが配置されている。
【００２４】
受け面部５９ｃ、５９ｃの後端部には、それぞれ上方へ突出された位置決め部６１、６１が設けられている（図４参照）。位置決め部６１、６１はそれぞれ円板状に形成された受け台部６１ａ、６１ａと該受け台部６１ａ、６１ａの中央部から上方へ突出された位置決めピン６１ｂ、６１ｂとから成る。
【００２５】
受け面部５９ｃ、５９ｃの前端部には、それぞれ上方へ突出された受け台部５９ｅ、５９ｅが設けられ、該受け台部５９ｅ、５９ｅの上面は受け台部６１ａ、６１ａの上面と同じ高さにされている。
【００２６】
ディスクホルダー５９の一方の側面部５９ｂの内面には、ラック部材６２が前後方向へ移動自在に支持されている（図１参照）。ラック部材６２は、図５に示すように、前後方向に長く形成され、内面、即ち、側面部５９ｂに対向する側と反対側の面にラック６２ａが設けられている。ラック６２ａの前後にはそれぞれ内方へ突出された動作用突部６２ｂとロック用突部６２ｃとが設けられている。ラック部材６２は図示しない駆動機構によって前後方向へ移動される。
【００２７】
ディスクドライブ装置５０の内部にはベースユニット６３が配置されている。ベースユニット６３は配置ベース６４に所定の各部が配置されて成る（図６及び図７参照）。
【００２８】
配置ベース６４の略中央部にはスピンドルモーター６５が配置され、該スピンドルモーター６５のモーター軸６５ａにディスクテーブル６６が固定されている。ディスクテーブル６６には図示しないマグネットが埋設されている。
【００２９】
配置ベース６４には、ディスクテーブル６６を挟んだ前後にそれぞれ光ピックアップ６７、６７が移動自在に支持されている。光ピックアップ６７、６７はそれぞれ移動ベース６８、６８と該移動ベース６８、６８上に支持された２軸アクチュエーター６９、６９とを有している。移動ベース６８、６８には駆動用ラック６８ａ、６８ａが設けられている。
【００３０】
配置ベース６４にはディスクテーブル６６を挟んだ前後に、それぞれ２つずつのガイド軸７０、７０、・・・が配置されている。光ピックアップ６７、６７はそれぞれガイド軸７０、７０、・・・に案内されて前後方向へ移動される。
【００３１】
配置ベース６４、６４には複数のギヤを有する減速機構７１、７１が設けられ、該減速機構７１、７１の最後段のギヤがそれぞれ移動ベース６８、６８の駆動用ラック６８ａ、６８ａに噛合されている。従って、図示しないモーターの駆動力によって減速機構７１、７１が動作されると、モーターの回転方向に応じた方向へ駆動用ラック６８ａ、６８ａが送られ、光ピックアップ６７、６７がガイド軸７０、７０、・・・に案内されて前方又は後方へ移動される。
【００３２】
次に、ディスクカートリッジについて説明する（図８乃至図１１参照）。
【００３３】
ディスクカートリッジ１は扁平な形状に形成され、図８に示すように、アウターシェル２、インナーシェル３、一対のシャッター部材４、４及びディスク状記録媒体５を備えている。
【００３４】
アウターシェル２は第１のシェル６と第２のシェル７、８が上下で結合されて成る（図８及び図９参照）。
【００３５】
アウターシェル２は略四角形状に形成され、先端縁２ａ、即ち、ディスクドライブ装置５０に挿入されるときの挿入方向側の一端縁が緩やかな円弧状に形成されている。先端縁２ａは、図１０に示すように、基端縁２ｂ、即ち、挿入方向と反対側の一端縁の近傍で左右方向における中央に位置された基準ポイント２ｃを中心とした円弧状に形成されている。
【００３６】
アウターシェル２の右側面２ｄには、挿入方向に延びる挿入溝２ｅが形成されている（図９参照）。アウターシェル２の右側面２ｄには、先端縁２ａに寄った位置に突部挿通孔２ｆが形成され、該突部挿通孔２ｆより基端縁２ｂ側の位置にギヤ挿通孔２ｇが形成されている。突部挿通孔２ｆ及びギヤ挿通孔２ｇは挿入溝２ｅに開口されている。
【００３７】
第１のシェル６は下方に開口された浅い箱状に形成され、主面部６ａと該主面部６ａの周縁から垂設された周面部６ｂとを有している。第１のシェル６には、図８に示すように、下面の外周側の部分に下方へ突出された円形状の保持壁６ｃが設けられている。第１のシェル６には、保持壁６ｃの外周に沿って下方に開口された摺動溝６ｄが形成されている。
【００３８】
インナーシェル３は略円板状に形成された平面部９と該平面部９の外周縁に設けられたリング部１０とが一体に形成されて成り、該リング部１０は平面部９から上方へ突出されている。
【００３９】
平面部９には開口用切欠９ａが形成され、該開口用切欠９ａはリング部１０の互いに略１８０°反対側に位置する部分間に形成されている。従って、平面部９は開口用切欠９ａを挟んで第１の部分９ｂと第２の部分９ｃの２つの部分に分割されている。平面部９の第１の部分９ｂと第２の部分９ｃの下面には、それぞれ下方へ突出された支持軸９ｄ、９ｅが設けられている。
【００４０】
リング部１０の外面には、第２の部分９ｃ側の部分に、ギヤ１１が設けられている。リング部１０の外面には、ギヤ１１を挟んだ周方向における反対側の位置に、それぞれロック凹部１０ａと係合凹部１０ｂが形成されている。
【００４１】
インナーシェル３はリング部１０が第１のシェル６の摺動溝６ｄに挿入されて第１のシェル６に回転自在に支持される。
【００４２】
ディスク状記録媒体５は中心部に金属製のコア５ａを有している。ディスク状記録媒体５は第１のシェル６とインナーシェル３の平面部９との間に形成された空間内に回転可能な状態で収納される。
【００４３】
シャッター部材４、４はそれぞれ略半円形状を為す板状に形成され、それぞれ外周縁部が弦側部４ａ、４ａと円弧側部４ｂ、４ｂとによって構成されている。シャッター部材４、４には、それぞれ所定の方向に延びる被案内孔４ｃ、４ｃと各一端部に位置された被支持孔４ｄ、４ｄが形成されている。
【００４４】
シャッター部材４、４は、それぞれ被支持孔４ｄ、４ｄにインナーシェル３の支持軸９ｄ、９ｅが挿入され、該支持軸９ｄ、９ｅを支点としてシェル３に回動自在に支持される。
【００４５】
第２のシェル７、８は、図８及び図１１に示すように、それぞれ縦長の略矩形状に形成された平板状の主面部１２、１３と、該主面部１２、１３の内側の周縁を除いた周縁から上方へ突出された周面部１４、１５とが一体に形成されて成る。第２のシェル７、８の主面部１２、１３の上面には、それぞれ案内軸１２ａ、１３ａが設けられている。右側に位置する第２のシェル８には、主面部１３の先端部に、上方へ突出されたロック支持軸１３ｂが設けられている。
【００４６】
主面部１２の下面の左端寄りの位置には、図１０に示すように、前後、即ち、上記挿入方向に離隔して第１の位置決め部１６と第２の位置決め部１７とが形成されている。挿入方向及びその反対方向をＹ方向とし、ディスクカートリッジ１の厚み方向及びＹ方向にともに直交する方向をＸ方向（左右方向）とすると、第１の位置決め部１６のＸ方向における中線と第２の位置決め部１７のＸ方向における中線とはＹ方向に延びる同一線上にある。
【００４７】
第１の位置決め部１６は挿入方向及び下方に開口され、挿入方向における開口縁部に、先端縁２ａに近づくに従って互いに離隔する方向へ傾斜する導入部１６ａ、１６ａが形成されている。
【００４８】
第２の位置決め部１７は下方に開口され、円形状に形成されている。
【００４９】
主面部１３の下面の右端寄りの位置には、挿入方向に離隔して第３の位置決め部１８と第４の位置決め部１９とが形成されている。第３の位置決め部１８のＸ方向における中線と第４の位置決め部１９のＸ方向における中線とはＹ方向に延びる同一線上にある。
【００５０】
第３の位置決め部１８は挿入方向及び下方に開口され、挿入方向における開口縁部に、先端縁２ａに近づくに従って互いに離隔する方向へ傾斜する導入部１８ａ、１８ａが形成されている。
【００５１】
第４の位置決め部１９は下方に開口され、稍横長の形状に形成されている。
【００５２】
第１の位置決め部１６の挿入方向と反対方向に位置する端面（奥面）は奥側規制面１６ｂとして形成され、第３の位置決め部１８の挿入方向と反対方向に位置する端面（奥面）は奥側規制面１８ｂとして形成され、奥側規制面１６ｂと奥側規制面１８ｂとはＸ方向に延びる同一線上にある。
【００５３】
第２の位置決め部１７のＹ方向における中線と第４の位置決め部１９のＹ方向における中線とはＸ方向に延びる同一線上にある。
【００５４】
第２のシェル８のロック支持軸１３ｂにはロック部材２０が回動可能に支持される（図８及び図１１参照）。ロック部材２０は円環状の被支持部２１と該被支持部２１から一方へ突出された作用突部２２と被支持部２１から作用突部２２の略反対方向へ突出されたロック突部２３とが一体に形成されて成る。ロック突部２３は二股状に形成され、ロック片部２３ａと弾接片部２３ｂとから成る。ロック部材２０は被支持部２１にロック支持軸１３ｂが挿入されて第２のシェル８に回動自在に支持される。
【００５５】
ロック部材２０が第２のシェル８に支持された状態においては、作用突部２２の先端部がアウターシェル２の突部挿通孔２ｆから突出され、ロック片部２３ａと弾接片部２３ｂがそれぞれインナーシェル３のリング部１０の外面と第２のシェル８の周面部１４の内面に弾接又は当接される。
【００５６】
第２のシェル７、８はそれぞれ第１のシェル６の左端側の部分及び右端側の部分に、例えば、ネジ止めにより結合される。第２のシェル７、８が第１のシェル６に結合された状態において、第２のシェル７、８間に開口が形成され、この開口がシャッター部材４、４によって開閉される開口部２４とされる。開口部２４は挿入方向に長く形成され、長手方向における中央部が上記ディスクテーブル６６が挿入されるテーブル挿入部２４ａとされ、該テーブル挿入部２４ａを挟んだ反対側の部分がそれぞれ光ピックアップ６７、６７から照射されるレーザー光の透過部となる第１の動作用部２４ｂ、第２の動作用部２４ｃとされる。開口部２４はインナーシェル３の上記開口用切欠９ａと略同じ大きさ及び略同じ形状に形成されている。
【００５７】
第２のシェル７、８が第１のシェル６に結合された状態においては、第２のシェル７、８の主面部１２、１３に設けられた案内軸１２ａ、１３ａがそれぞれシャッター部材４、４の被案内孔４ｃ、４ｃに摺動自在に係合される。
【００５８】
以下に、ディスクカートリッジ１がディスクドライブ装置５０の挿入口５１ａから挿入されたときの動作について説明する（図１２乃至図２２参照）。
【００５９】
先ず、挿入口５１ａに挿入される前のディスクカートリッジ１の状態について説明する（図１２参照）。
【００６０】
インナーシェル３はリング部１０のロック凹部１０ａにロック部材２０のロック片部２３ａが係合されている。従って、インナーシェル３は開口用切欠９ａが開口部２４に対して所定の角度傾斜された初期位置においてロックされ、アウターシェル２に対する回転が規制されている。
【００６１】
シャッター部材４、４は被案内孔４ｃ、４ｃの一端部、即ち、円弧側部４ｂ、４ｂ側の端部にそれぞれ第２のシェル７、８の案内軸１２ａ、１３ａが係合されている。従って、シャッター部材４、４の弦側部４ａ、４ａが重ね合わされ、閉塞位置に保持されている。
【００６２】
アウターシェル２の開口部２４はシャッター部材４、４が閉塞位置にあるため、閉塞されている。
【００６３】
ディスクカートリッジ１がディスクドライブ装置５０の挿入口５１ａから内部に挿入されていくと、ディスクカートリッジ１はディスクホルダー５９の側面部５９ｂ、５９ｂに沿って移動され、ディスクホルダー５９に設けられた位置決め部６１、６１の位置決めピン６１ｂ、６１ｂがそれぞれ第１の位置決め部１６と第３の位置決め部１８とに嵌合状に挿入される（図１３参照）。このとき位置決めピン６１ｂ、６１ｂは第１の位置決め部１６の奥側規制面１６ｂと第３の位置決め部１８の奥側規制面１８ｂとに接触される。
【００６４】
第１の位置決め部１６と第３の位置決め部１８とにはそれぞれ先端縁２ａに近づくに従って互いに離隔する方向へ傾斜する導入部１６ａ、１６ａ、１８ａ、１８ａが形成されているため、位置決めピン６１ｂ、６１ｂは導入部１６ａ、１６ａ、１８ａ、１８ａに案内されて確実かつ円滑に第１の位置決め部１６と第３の位置決め部１８に挿入される。
【００６５】
位置決めピン６１ｂ、６１ｂがそれぞれ奥側規制面１６ｂ、１８ｂに接するまで第１の位置決め部１６及び第３の位置決め部１８に挿入されると、ディスクカートリッジ１がディスクホルダー５９に保持される保持位置に至る（図１４参照）。ディスクカートリッジ１が保持位置に至った状態においては、ディスクカートリッジ１の基端縁２ｂ側の一部が挿入口５１ａから外部へ突出されている。
【００６６】
位置決めピン６１ｂ、６１ｂがそれぞれ第１の位置決め部１６と第３の位置決め部１８とに挿入されることにより、第１の位置決め部１６又は第３の位置決め部１８のうちの何れか一方の左右両側面によって位置が規制され、ディスクホルダー５９内におけるディスクカートリッジ１の左右方向（図１０に示すＸ方向）における位置決めが行われる。同時に、位置決めピン６１ｂ、６１ｂがそれぞれ奥側規制面１６ｂ、１８ｂに接することにより、該奥側規制面１６ｂ、１８ｂによって位置が規制され、ディスクホルダー５９内におけるディスクカートリッジ１の前後方向（図１０に示すＹ方向）における位置決めが行われる。また、位置決めピン６１ｂ、６１ｂがそれぞれ第１の位置決め部１６と第３の位置決め部１８とに挿入された状態においては、ディスクホルダー５９の内部に設けられた押さえバネによってディスクカートリッジ１が下方へ付勢され、ディスクカートリッジ１の下面が位置決め部６１、６１の受け台部６１ａ、６１ａ及びディスクホルダー５９の受け台部５９ｅ、５９ｅに押し付けられて、ディスクホルダー５９内におけるディスクカートリッジ１の上下方向における位置決めが行われる。
【００６７】
尚、ディスクカートリッジ１がディスクホルダー５９に挿入され保持位置に至った状態においては、ディスクドライブ装置１の内部に設けられた図示しない押さえ部材によってディスクカートリッジ１が押さえられ、前後方向への移動が規制されている。
【００６８】
位置決めピン６１ｂ、６１ｂがそれぞれ第１の位置決め部１６と第３の位置決め部１８とに挿入されると、ディスクカートリッジ１の先端縁２ａによって検出センサー６０の検出アーム６０ｂが押圧されて回動され（図１３参照）、検出センサー６０によってディスクカートリッジ１が保持位置まで挿入されたことが検出される。検出センサー６０によってディスクカートリッジ１が保持位置まで挿入されたことが検出されると、駆動モーターの回転が開始される。駆動モーターが回転されると、駆動ギヤ５６、５６の回転によりカムスライダー５７、５７が図１４に示すＬ１方向へスライドされる。
【００６９】
カムスライダー５７、５７がＬ１方向へスライドされると、被ガイドピン５９ｄ、５９ｄ、・・・が固定フレーム５２のガイド孔５５、５５、・・・の水平部５５ａ、５５ａ、・・・内をＬ１方向へ移動され、ディスクカートリッジ１を保持したディスクホルダー５９がＬ１方向へ移動される。
【００７０】
被ガイドピン５９ｄ、５９ｄ、・・・が水平部５５ａ、５５ａ、・・・の後端部に達することによりディスクホルダー５９は引込位置に至り（図１５参照）、駆動ギヤ５６、５６の回転が一旦停止される。ディスクホルダー５９が引込位置に至ると、ディスクカートリッジ１の全体がディスクドライブ装置５０内に挿入される。
【００７１】
続いて、ラック部材６２の図１５に示すＬ２方向への移動が開始される。ラック部材６２がＬ２方向へ移動されると、ディスクカートリッジ１のアウターシェル２の挿入溝２ｅに動作用突部６２ｂ及びラック６２ａが順に挿入されていく（図１６参照）。
【００７２】
ラック部材６２がＬ２方向へ移動され動作用突部６２ｂ及びラック６２ａが挿入溝２ｅに挿入されると、図１７に示すように、ラック６２ａによってロック部材２０の作用突部２２がアウターシェル２の内側へ押し込まれると共に動作用突部６２ｂがインナーシェル３の係合凹部１０ｂに挿入されて係合される。
【００７３】
ラック６２ａによってロック用突部６２ｃがアウターシェル２の内側へ押し込まれると、ロック部材２０が図１２に示すＳ１方向へ回動され、ロック片部２３ａがロック凹部１０ａから離隔されロック部材２０によるインナーシェル３に対するロックが解除される。
【００７４】
引き続きラック部材６２がＬ２方向へ移動されていくと、動作用突部６２ｂの移動に伴ってインナーシェル３が図１７に示すＲ１方向へ回転され、ラック６２ａがインナーシェル３のギヤ１１に噛合される（図１８参照）。このときインナーシェル３の回転に伴ってシャッター部材４、４がＲ１方向へ回転される。
【００７５】
さらにラック部材６２がＬ２方向へ移動されていくと、動作用突部６２ｂの係合凹部１０ｂへの係合が解除されるが、ラック６２ａがギヤ１１と噛合されているため、ラック部材６２の移動に伴ってインナーシェル３がさらにＲ１方向へ回転される。このときシャッター部材４、４の被案内孔４ｃ、４ｃ内を案内軸１２ａ、１３ａが相対的に移動され、シャッター部材４、４がインナーシェル３に対して回動されていく。従って、シャッター部材４、４は弦側部４ａ、４ａが互いに離隔されていく。
【００７６】
引き続きラック部材６２がＬ２方向へ移動されると、ロック用突部６２ｃがインナーシェル３のロック凹部１０ａに係合され、ラック部材６２のＬ２方向への移動が停止される（図１９参照）。ラック部材６２のＬ２方向への移動が停止された状態においては、インナーシェル３は停止位置に至り、開口用切欠９ａが開口部２４に一致されている。このとき第２のシェル７、８の案内軸１２ａ、１３ａは被案内孔４ｃ、４ｃの弦側部４ａ、４ａ側の端部に係合されており、シャッター部材４、４は全体がそれぞれインナーシェル３の第１の部分９ｂと第２のシェル７との間及びインナーシェル３の第２の部分９ｃと第２のシェル８との間に位置され、開口部２４の全体が開放されディスク状記録媒体５の一部が露出される。
【００７７】
ラック部材６２のＬ２方向への移動が停止され開口部２４の全体が開放されると、再度、駆動ギヤ５６、５６の回転が開始される。駆動ギヤ５６、５６が回転されると、再びカムスライダー５７、５７が図１５に示すＬ１方向へスライドされる。
【００７８】
カムスライダー５７、５７がＬ１方向へスライドされると、被ガイドピン５９ｄ、５９ｄ、・・・が固定フレーム５２のガイド孔５５、５５、・・・の垂直部５５ｂ、５５ｂ、・・・内及びカムスライダー５７、５７のカム孔５８、５８、・・・のカム傾斜部５８ｂ、５８ｂ、・・・内を移動され、ディスクカートリッジ１を保持したディスクホルダー５９がラック部材６２と一体となって図１５に示すＨ１方向（下方）へ移動される（図２０参照）。
【００７９】
引き続きカムスライダー５７、５７がＬ１方向へスライドされて被ガイドピン５９ｄ、５９ｄ、・・・が水平部５５ａ、５５ａ、・・・の下端部及びカム孔５８、５８、・・・の下側保持部５８ｃ、５８ｃ、・・・に達することによりディスクホルダー５９は装着位置に至り（図２１参照）、駆動モーターの回転が停止される。ディスクホルダー５９が装着位置に至るときには、アウターシェル２の開口部２４のテーブル挿入部２４ａからディスクテーブル６６が挿入され（図２２参照）、ディスク状記録媒体５のコア５ａがディスクテーブル６６のマグネットに吸着されてディスク状記録媒体５がディスクテーブル６６に装着される。
【００８０】
ディスクホルダー５９が装着位置に至った状態においては、開口部２４の第１の動作用部２４ｂと第２の動作用部２４ｃに対応して、それぞれ光ピックアップ６７、６７が位置される。
【００８１】
ディスク状記録媒体５がディスクテーブル６６に装着されると、該ディスクテーブル６６の回転に伴ってディスク状記録媒体５が回転されると共に光ピックアップ６７、６７の駆動によってディスク状記録媒体５に対する情報信号の記録又は再生が行われる。尚、光ピックアップ６７、６７は、使用者の要求に応じて一方又は双方が駆動されるが、双方の光ピックアップ６７、６７の駆動により転送レートの向上や編集作業等における作業性の向上を図ることができる。
【００８２】
情報信号の記録又は再生が終了すると、駆動モーターが先程とは反対方向へ回転され、上記とは逆の動作によりディスクカートリッジ１がイジェクトされる。即ち、先ず、カムスライダー５７、５７がＬ２方向へ移動されてディスクカートリッジ１を保持したディスクホルダー５９がラック部材６２と一体となってＨ２方向（上方）へ移動され、次に、ラック部材６２がＬ１方向へ移動されてインナーシェル３がＲ２方向へ回転されてシャッター部材４、４によって開口部２４が閉塞され、次いで、再びカムスライダー５７、５７がＬ２方向へ移動されてディスクカートリッジ１を保持したディスクホルダー５９がＬ２方向へ移動される。このときディスクカートリッジ１はディスクドライブ装置５０に設けられた図示しないイジェクトレバーによって先端縁２ａ側の面を押圧され、挿入口５１ａから基端縁２ｂ側の一部が突出される。使用者は挿入口５１ａから突出された一部を把持して引き抜くことによりディスクカートリッジ１をディスクドライブ装置５０から取り出すことができる。
【００８３】
尚、上記のように、ディスクカートリッジ１は第１の位置決め部１６及び第３の位置決め部１８が使用されてディスクドライブ装置５０に対する位置決めが行われるが、この場合には、ディスクドライブ装置５０に設けられる各機構の配置可能なエリアが、図１０に示すように、ディスクカートリッジ１の先端縁２ａ側のエリアを除いたエリアＥ１となる。
【００８４】
上記には、下方及び挿入方向に開口された第１の位置決め部１６及び第３の位置決め部１８を有するディスクカートリッジ１について説明したが、第１の位置決め部及び第３の位置決め部は少なくとも挿入方向に開口されていればよく、例えば、図２３に示すような挿入方向及び上下方向に開口された第１の位置決め部１６Ａ及び第３の位置決め部１８Ａであってもよく、図２４に示すような挿入方向及び上方に開口された第１の位置決め部１６Ｂ及び第３の位置決め部１８Ｂであってもよく、図２５に示すような挿入方向のみに開口された第１の位置決め部１６Ｃ及び第３の位置決め部１８Ｃであってもよい。第１の位置決め部１６Ａ、１６Ｂ、１６Ｃ及び第３の位置決め部１８Ａ、１８Ｂ、１８Ｃにあっても、第１の位置決め部１６及び第３の位置決め部１８と同様の識別ピンを円滑に挿入するための導入部を形成することが望ましい。
【００８５】
第１の位置決め部１６Ｂ及び第３の位置決め部１８Ｂの場合には、ディスクドライブ装置５０には下方へ突出された位置決めピン６１ｃ、６１ｃを設ければよく、第１の位置決め部１６Ｃ及び第３の位置決め部１８Ｃの場合には、ディスクドライブ装置５０には前方へ突出された位置決めピン６１ｄ、６１ｄを設ければよい。
【００８６】
上記には、第１の位置決め部１６と第３の位置決め部１８を用いてディスクカートリッジ１のディスクドライブ装置５０に対する位置決めを行う例を示したが、ディスクカートリッジ１にあっては、第１の位置決め部１６と第３の位置決め部１８の組み合わせの他に、以下のように、第１の位置決め部１６、第２の位置決め部１７、第３の位置決め部１８、第４の位置決め部１９のうちの少なくとも２つの位置決め部を用いてディスクカートリッジ１の位置決めを行うことができる。
【００８７】
例えば、第２の位置決め部１７と第４の位置決め部１９を用いてディスクカートリッジ１の位置決めを行うことができる（図２６参照）。第２の位置決め部１７と第４の位置決め部１９を用いてディスクカートリッジ１の位置決めを行う場合には、例えば、ディスクホルダー５９に位置決め部６１、６１及び受け台部５９ｅ、５９ｅを設けず、ベースユニット６３に位置決め部７２、７２と受部７３、７３を設ける（図２７及び図２８参照）。
【００８８】
位置決め部７２、７２は配置ベース６４の前端寄りの位置から上方へ突出された軸部７２ａ、７２ａと該軸部７２ａ、７２ａの上面７２ｂ、７２ｂの中央部から上方へ突出された位置決めピン７２ｃ、７２ｃとから成る。位置決め部７２、７２は左右に離隔して位置されている。
【００８９】
受部７３、７３は配置ベース６４の後端寄りの位置から上方へ突出されており、上面が受け面７３ａ、７３ａとして形成されている。受け面７３ａ、７３ａの上下方向における位置は、位置決め部７２、７２の上面７２ｂ、７２ｂの上下方向における位置と同じにされている。受部７３、７３は左右に離隔して位置されている。
【００９０】
第２の位置決め部１７と第４の位置決め部１９を用いたディスクカートリッジ１の位置決めは、カムスライダー５７、５７がＬ１方向へスライドされディスクホルダー５９が下降されて装着位置に至るときに、位置決めピン７２ｃ、７２ｃがそれぞれ第２の位置決め部１７及び第４の位置決め部１９に挿入されることにより行われる。
【００９１】
位置決めピン７２ｃ、７２ｃがそれぞれ第２の位置決め部１７及び第４の位置決め部１９に挿入されることにより、ＸＹ方向におけるディスクカートリッジ１の位置決めが行われる。また、ディスクカートリッジ１の下面が上面７２ｂ、７２ｂ及び受け面７３ａ、７３ａに押し付けられることにより、高さ方向（上下方向）におけるディスクカートリッジ１の位置決めが行われる。
【００９２】
第２の位置決め部１７及び第４の位置決め部１９が使用されてディスクドライブ装置５０に対する位置決めが行われる場合には、ディスクドライブ装置５０に設けられる各機構の配置可能なエリアが、図２６に示すように、ディスクカートリッジ１の基端縁２ｂ側のエリアを除いたエリアＥ２となる。
【００９３】
また、第１の位置決め部１６と第２の位置決め部１７を用いてディスクカートリッジ１の位置決めを行うことができる（図２９参照）。第１の位置決め部１６と第２の位置決め部１７を用いてディスクカートリッジ１の位置決めを行う場合には、例えば、ディスクホルダー５９に１つの位置決め部６１及び１つの受け台部５９ｅを設け、ベースユニット６３に１つの位置決め部７２と１つの受部７３を設ける。
【００９４】
第１の位置決め部１６と第２の位置決め部１７を用いたディスクカートリッジ１の位置決めは、位置決め部６１の位置決めピン６１ｂが第１の位置決め部１６に挿入されると共に位置決め部７２の位置決めピン７２ｃが第２の位置決め部１７に挿入されることにより行われる。
【００９５】
位置決めピン６１ｂと位置決めピン７２ｃがそれぞれ第１の位置決め部１６と第２の位置決め部１７に挿入されることにより、ＸＹ方向におけるディスクカートリッジ１の位置決めが行われる。また、ディスクカートリッジ１の下面が位置決め部６１の受け台部６１ａ、受け台部５９ｅ、上面７２ｂ及び受け面７３ａに押し付けられることにより、高さ方向（上下方向）におけるディスクカートリッジ１の位置決めが行われる。
【００９６】
第１の位置決め部１６及び第２の位置決め部１７が使用されてディスクドライブ装置５０に対する位置決めが行われる場合には、ディスクドライブ装置５０に設けられる各機構の配置可能なエリアが、図２９に示すように、ディスクカートリッジ１の第１の位置決め部１６及び第２の位置決め部１７側の側縁部を除いたエリアＥ３となる。
【００９７】
さらに、第１の位置決め部１６と第４の位置決め部１９を用いてディスクカートリッジ１の位置決めを行うことができる（図３０参照）。第１の位置決め部１６と第４の位置決め部１９を用いてディスクカートリッジ１の位置決めを行う場合には、例えば、ディスクホルダー５９に１つの位置決め部６１及び１つの受け台部５９ｅを設け、ベースユニット６３に１つの位置決め部７２と１つの受部７３を設ける。
【００９８】
第１の位置決め部１６と第４の位置決め部１９を用いたディスクカートリッジ１の位置決めは、位置決め部６１の位置決めピン６１ｂが第１の位置決め部１６に挿入されると共に位置決め部７２の位置決めピン７２ｃが第４の位置決め部１９に挿入されることにより行われる。
【００９９】
位置決めピン６１ｂと位置決めピン７２ｃがそれぞれ第１の位置決め部１６と第４の位置決め部１９に挿入されることにより、ＸＹ方向におけるディスクカートリッジ１の位置決めが行われる。また、ディスクカートリッジ１の下面が位置決め部６１の受け台部６１ａ、受け台部５９ｅ、上面７２ｂ及び受け面７３ａに押し付けられることにより、高さ方向（上下方向）におけるディスクカートリッジ１の位置決めが行われる。
【０１００】
第１の位置決め部１６及び第４の位置決め部１９が使用されてディスクドライブ装置５０に対する位置決めが行われる場合には、ディスクドライブ装置５０に設けられる各機構の配置可能なエリアが、図３０に示すように、ディスクカートリッジ１の第１の位置決め部１６及び第４の位置決め部１９に対応する部分を除いたエリアＥ４となる。
【０１０１】
加えて、第２の位置決め部１７と第３の位置決め部１８を用いてディスクカートリッジ１の位置決めを行うことができる（図３１参照）。第２の位置決め部１７と第３の位置決め部１８を用いてディスクカートリッジ１の位置決めを行う場合には、例えば、ディスクホルダー５９に１つの位置決め部６１及び１つの受け台部５９ｅを設け、ベースユニット６３に１つの位置決め部７２と１つの受部７３を設ける。
【０１０２】
第２の位置決め部１７と第３の位置決め部１８を用いたディスクカートリッジ１の位置決めは、位置決め部６１の位置決めピン６１ｂが第３の位置決め部１８に挿入されると共に位置決め部７２の位置決めピン７２ｃが第２の位置決め部１７に挿入されることにより行われる。
【０１０３】
位置決めピン６１ｂと位置決めピン７２ｃがそれぞれ第３の位置決め部１８と第２の位置決め部１７に挿入されることにより、ＸＹ方向におけるディスクカートリッジ１の位置決めが行われる。また、ディスクカートリッジ１の下面が位置決め部６１の受け台部６１ａ、受け台部５９ｅ、上面７２ｂ及び受け面７３ａに押し付けられることにより、高さ方向（上下方向）におけるディスクカートリッジ１の位置決めが行われる。
【０１０４】
第２の位置決め部１７及び第３の位置決め部１８が使用されてディスクドライブ装置５０に対する位置決めが行われる場合には、ディスクドライブ装置５０に設けられる各機構の配置可能なエリアが、図３１に示すように、ディスクカートリッジ１の第２の位置決め部１７及び第３の位置決め部１８に対応する部分を除いたエリアＥ５となる。
【０１０５】
上記のように、位置決めに際して使用する位置決め部を変更することにより、ディスクドライブ装置５０に設けられる各機構の配置可能なエリアがエリアＥ１乃至Ｅ５とされるが、エリアＥ３乃至Ｅ５にあっては開口部２４の全体がカバーされるため、２つの光ピックアップ６７、６７を有するディスクドライブ装置５０にあっては、各機構の配置が有利となる。
【０１０６】
尚、上記には、第１の位置決め部１６、第２の位置決め部１７、第３の位置決め部１８又は第４の位置決め部１９に挿入される手段として位置決めピン６１ｂ、６１ｃ、６１ｄを例として示したが、第１の位置決め部１６、第２の位置決め部１７、第３の位置決め部１８又は第４の位置決め部１９に挿入される手段としては位置決めピン６１ｂ、６１ｃ、６１ｄに限られることはなく、例えば、位置決めピン６１ｂ、６１ｃ、６１ｄに代えて、ディスクホルダー５９の一部を切り起こして形成した挿入片やディスクホルダー５９に取り付けた樹脂製の挿入部やベースユニット６３に設けた樹脂製の挿入部を用いることもできる。
【０１０７】
以上に記載した通り、ディスクカートリッジ１にあっては、アウターシェル２に第１の位置決め部１６、第２の位置決め部１７、第３の位置決め部１８及び第４の位置決め部１９の４つの位置決め部を形成し、ディスクドライブ装置５０に対する位置決めにおいて、４つの位置決め部の少なくとも２つを使用している。
【０１０８】
従って、必要に応じて第１の位置決め部１６、第２の位置決め部１７、第３の位置決め部１８及び第４の位置決め部１９のうちの少なくとも２つの位置決め部をディスクドライブ装置５０に対する位置決めに用いることにより、ディスクドライブ装置５０に設けられる位置決め部の配置位置の自由度が高まり、ディスクドライブ装置５０の設計自由度の向上を図ることができると共に設計自由度の向上によるディスクドライブ装置５０の機構の簡素化及び小型化を図ることができる。
【０１０９】
また、ディスクカートリッジ１にあっては、第１の位置決め部１６と第２の位置決め部１７がＸ方向における同一位置に形成され、第３の位置決め部１８と第４の位置決め部１９が第１の位置決め部１６と第２の位置決め部１７とは異なるＸ方向における同一位置に形成され、第１の位置決め部１６と第３の位置決め部１８がＹ方向における同一位置に形成され、第２の位置決め部１７と第４の位置決め部１９が第１の位置決め部１６と第３の位置決め部１８とは異なるＹ方向における同一位置に形成されているため、第１の位置決め部１６と第２の位置決め部１７との間及び第３の位置決め部１８と第４の位置決め部１９との間でＸ方向における寸法公差による位置ずれのおそれがなく、また、第１の位置決め部１６と第３の位置決め部１８との間及び第２の位置決め部１７と第４の位置決め部１９との間でＹ方向における寸法公差による位置ずれのおそれがなく、ディスクカートリッジ１の位置決め精度の向上を図ることができる。
【０１１０】
さらに、挿入方向側に開口された第１の位置決め部１６又は第３の位置決め部１８の一方をディスクドライブ装置５０に対する位置決め部として使用した場合には、ディスクカートリッジ１が挿入口５１ａから挿入されたときに所定の方向における位置決めが行われるため、ディスクカートリッジ１の垂直移動時に第２の位置決め部１７又は第４の位置決め部１９の開口縁と位置決めピン７２ｃとが接触し難く接触による両者の削れ等を防止することができる。
【０１１１】
加えて、ディスクカートリッジ１にあっては、第１の位置決め部１６、第２の位置決め部１７、第３の位置決め部１８及び第４の位置決め部１９が開口部２４の開口方向と同じ方向に開口されているため、第２の位置決め部１７及び第４の位置決め部１９の少なくとも一方を位置決めのために用いたときに、開口部２４へのディスクテーブル６６の挿入時に同時にディスクカートリッジ１のディスクドライブ装置５０に対する位置決めを行うことができ、ディスクドライブ装置５０の動作の効率化及び迅速化を図ることができる。
【０１１２】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【０１１３】
【発明の効果】
以上に記載したところから明らかなように、本発明ディスクカートリッジは、シェル内にディスク状記録媒体が回転可能に収納されシェルに少なくともディスクドライブ装置に設けられたディスクテーブルが挿入される開口部が形成されると共にディスクドライブ装置の挿入口から挿入されて使用されるディスクカートリッジであって、ディスクドライブ装置に対する位置決め部としてシェルに４つの位置決め穴又は位置決め溝を形成し、４つの位置決め穴又は位置決め溝をそれぞれ第１の位置決め部、第２の位置決め部、第３の位置決め部及び第４の位置決め部とし、ディスク状記録媒体の厚み方向に直交する２方向をそれぞれＸ方向及びＹ方向とすると共に上記挿入口に対する挿入方向及びその反対方向をＹ方向としたときに、上記第１の位置決め部と第２の位置決め部をＸ方向における同一位置に形成し、上記第３の位置決め部と第４の位置決め部を第１の位置決め部と第２の位置決め部とは異なるＸ方向における同一位置に形成し、上記第１の位置決め部と第３の位置決め部をＹ方向における同一位置に形成し、上記第２の位置決め部と第４の位置決め部を第１の位置決め部と第３の位置決め部とは異なるＹ方向における同一位置に形成し、挿入口から挿入されたときのディスクドライブ装置に対する位置決めにおいて、上記４つの位置決め部の少なくとも２つを使用したことを特徴とする。
【０１１４】
従って、必要に応じて第１の位置決め部、第２の位置決め部、第３の位置決め部及び第４の位置決め部のうちの少なくとも２つの位置決め部をディスクドライブ装置に対する位置決めに用いることにより、ディスクドライブ装置に設けられる位置決め部の配置位置の自由度が高まり、ディスクドライブ装置の設計自由度の向上を図ることができると共に設計自由度の向上によるディスクドライブ装置の機構の簡素化及び小型化を図ることができる。
【０１１５】
また、第１の位置決め部と第２の位置決め部がＸ方向における同一位置に形成され、第３の位置決め部と第４の位置決め部がＸ方向における同一位置に形成され、第１の位置決め部と第３の位置決め部がＹ方向における同一位置に形成され、第２の位置決め部と第４の位置決め部がＹ方向における同一位置に形成されているため、第１の位置決め部と第２の位置決め部との間及び第３の位置決め部と第４の位置決め部との間でＸ方向における寸法公差による位置ずれのおそれがなく、また、第１の位置決め部と第３の位置決め部との間及び第２の位置決め部と第４の位置決め部との間でＹ方向における寸法公差による位置ずれのおそれがなく、ディスクカートリッジの位置決め精度の向上を図ることができる。
【０１１６】
請求項２に記載した発明にあっては、第１の位置決め部及び第３の位置決め部を第２の位置決め部及び第４の位置決め部に対して挿入方向側に位置させ、第１の位置決め部及び第３の位置決め部を少なくとも挿入方向側に開口し、第１の位置決め部又は第３の位置決め部を挿入口から挿入されたときのディスクドライブ装置に対する位置決めにおいて使用したので、ディスクカートリッジが挿入口から挿入されたときに所定の方向における位置決めが行われるため、第２の位置決め部又は第４の位置決め部の開口縁とディスクドライブ装置の位置決め部とが接触し難く接触による両者の削れ等を防止することができる。
【０１１７】
請求項３に記載した発明にあっては、上記４つの位置決め部をシェルの上記開口部の開口方向と同じ方向に開口し、開口部の開口方向に移動されたときにディスクドライブ装置に対する位置決めを行うようにしたので、開口部へのディスクテーブルの挿入時に同時にディスクカートリッジのディスクドライブ装置に対する位置決めを行うことができ、ディスクドライブ装置の動作の効率化及び迅速化を図ることができる。
【図面の簡単な説明】
【図１】図２乃至図３１と共に本発明の実施の形態を示すものであり、本図はディスクカートリッジとディスクドライブ装置を示す概略斜視図である。
【図２】ディスクカートリッジとディスクホルダーを示す概略斜視図である。
【図３】固定フレームとカムスライダーとラック部材とを示す概略側面図である。
【図４】ディスクホルダーを一部を切り欠いて示す斜視図である。
【図５】ラック部材を示す拡大平面図である。
【図６】ベースユニットを示す概略平面図である。
【図７】ベースユニットを示す概略側面図である。
【図８】ディスクカートリッジの分解斜視図である。
【図９】ディスクカートリッジの斜視図である。
【図１０】ディスクカートリッジの底面図である。
【図１１】第２のシェルの平面図である。
【図１２】図１３乃至図２２と共にディスクカートリッジがディスクドライブ装置の挿入口に挿入されるときの動作を示すものであり、本図はディスクカートリッジが挿入口に挿入される前の状態を示す概略平面図である。
【図１３】ディスクカートリッジが挿入口に挿入され、第１の位置決め部と第３の位置決め部に位置決めピンが挿入された状態を一部を切り欠いて示す平面図である。
【図１４】ディスクカートリッジが挿入口から保持位置まで挿入された状態を示す概略側面図である。
【図１５】図１４に引き続き、ディスクホルダーが水平方向へ移動された状態を示す概略側面図である。
【図１６】図１５に引き続き、ラック部材の移動が開始された直後の状態を一部を断面にして示す概略平面図である。
【図１７】図１６に引き続き、ラック部材が移動されロック部材によるインナーシェルに対するロックが解除された状態を一部を断面にして示す概略平面図である。
【図１８】図１７に引き続き、ラック部材が移動されインナーシェルが回転されている状態を一部を断面にして示す概略平面図である。
【図１９】図１８に引き続き、ラック部材が移動され開口部が開放された状態を一部を断面にして示す概略平面図である。
【図２０】ディスクホルダーが下降されている状態を示す概略側面図である。
【図２１】ディスクホルダーが下降され装着位置まで移動された状態を示す概略側面図である。
【図２２】ディスク状記録媒体がディスクテーブルに装着された状態を示す概略側面図である。
【図２３】図２４及び図２５と共に第１の位置決め部及び第３の位置決め部の別の形状を示すものであり、本図は挿入方向及び上下方向に開口された位置決め部を有するディスクカートリッジを示す概念図である。
【図２４】挿入方向及び上方に開口された位置決め部を有するディスクカートリッジを示す概念図である。
【図２５】挿入方向のみに開口された位置決め部を有するディスクカートリッジを示す概念図である。
【図２６】第２の位置決め部と第４の位置決め部が使用されて位置決めが行われる状態を示すディスクカートリッジの底面図である。
【図２７】第２の位置決め部と第４の位置決め部が使用されて位置決めが行われるときのベースユニットを示す概略平面図である。
【図２８】第２の位置決め部と第４の位置決め部が使用されて位置決めが行われるときのベースユニットを示す概略側面図である。
【図２９】第１の位置決め部と第２の位置決め部が使用されて位置決めが行われる状態を示すディスクカートリッジの底面図である。
【図３０】第１の位置決め部と第４の位置決め部が使用されて位置決めが行われる状態を示すディスクカートリッジの底面図である。
【図３１】第２の位置決め部と第３の位置決め部が使用されて位置決めが行われる状態を示すディスクカートリッジの底面図である。
【符号の説明】
１…ディスクカートリッジ、２…アウターシェル（シェル）、５…ディスク状記録媒体、１６…第１の位置決め部、１７…第２の位置決め部、１８…第３の位置決め部、１９…第４の位置決め部、２４…開口部、１６Ａ…第１の位置決め部、１８Ａ…第３の位置決め部、１６Ｂ…第１の位置決め部、１８Ｂ…第３の位置決め部、１６Ｃ…第１の位置決め部、１８Ｃ…第３の位置決め部、５０…ディスクドライブ装置、５１ａ…挿入口、６６…ディスクテーブル
【図１】
2004318930.tif 000003
【図２】
2004318930.tif 000004
【図３】
2004318930.tif 000005
【図４】
2004318930.tif 000006
【図５】
2004318930.tif 000007
【図６】
2004318930.tif 000008
【図７】
2004318930.tif 000009
【図８】
2004318930.tif 000010
【図９】
2004318930.tif 000011
【図１０】
2004318930.tif 000012
【図１１】
2004318930.tif 000013
【図１２】
2004318930.tif 000014
【図１３】
2004318930.tif 000015
【図１４】
2004318930.tif 000016
【図１５】
2004318930.tif 000017
【図１６】
2004318930.tif 000018
【図１７】
2004318930.tif 000019
【図１８】
2004318930.tif 000020
【図１９】
2004318930.tif 000021
【図２０】
2004318930.tif 000022
【図２１】
2004318930.tif 000023
【図２２】
2004318930.tif 000024
【図２３】
2004318930.tif 000025
【図２４】
2004318930.tif 000026
【図２５】
2004318930.tif 000027
【図２６】
2004318930.tif 000028
【図２７】
2004318930.tif 000029
【図２８】
2004318930.tif 000030
【図２９】
2004318930.tif 000031
【図３０】
2004318930.tif 000032
【図３１】
2004318930.tif 000033